(57)【要約】      （修正有）【課題】立体感及びデザイン性に優れた縫製加工品を提供する。【解決手段】縫製加工品は、表面の少なくとも一部が布地で構成されている縫製加工品であって、表面に模様が描かれている第１の布５１と、第１の布に描かれている模様に応じて枚数を調整したキルト芯５４と、キルト芯を第１の布と挟む第２の布５３と、を有し、第１の布とキルト芯と第２の布を一体にすることで模様を立体的にして布地に貼り付けた、ものである。【選択図】図４
0003233950.tif 000002
【実用新案登録請求の範囲】
【請求項１】
表面の少なくとも一部が布地で構成されている縫製加工品であって、
表面に模様が描かれている第１の布と、
前記第１の布に描かれている模様に応じて枚数を調整したキルト芯と、
前記キルト芯を前記第１の布と挟む第２の布と、を有し、
前記第１の布と前記キルト芯と前記第２の布を一体にすることで模様を立体的にして前記布地に貼り付けた
縫製加工品。
【請求項２】
前記キルト芯の量によって前記模様を立体的にしている
請求項１に記載の縫製加工品。
【考案の詳細な説明】
【技術分野】
【０００１】  本考案は、模様（絵や図形、文字又はそれらの組み合わせ）を張り付けた縫製加工品に関するものである。
【背景技術】
【０００２】  縫製加工品に模様を添付する場合がある。縫製加工品としては、例えばＴシャツやトレーナーなどの一般被服、帽子、かばん、バッグ、トートバッグなどがある。このような模様は、縫製加工品に貼り付ける布地にまず描き込まれる。そして、クッション材を用いた立体的にし、ミシン縫製したり、接着剤で接着したりして縫製加工品として一体化していた。そのようなものとして、ワッペンの製造方法として例えば特許文献１が提案されていた。
【先行技術文献】
【特許文献】
【０００３】
【特許文献１】特開平７−９０７５９号公報
【考案の概要】
【考案が解決しようとする課題】
【０００４】  特許文献１に記載のワッペンの製造方法では、ワッペン周囲が刺繍縫い線でミシンによって縫合されており、立体感に欠ける。つまり、特許文献１に記載のワッペンの製造方法では、縫製加工品に対してはマークが立体的になるものの、クッション材を利用しているだけのためマーク自体が均一的に盛り上がるだけになっている。【０００５】  本考案は、上述のような課題を解決するためになされたものであり、立体感及びデザイン性に優れた縫製加工品を提供することを目的としている。
【課題を解決するための手段】
【０００６】  本考案に係る縫製加工品は、
表面の少なくとも一部が布地で構成されている縫製加工品であって、
表面に模様が描かれている第１の布と、
前記第１の布に描かれている模様に応じて枚数を調整したキルト芯と、
前記キルト芯を前記第１の布と挟む第２の布と、を有し、
前記第１の布と前記キルト芯と前記第２の布を一体にすることで模様を立体的にして前記布地に貼り付けた、ものである。【０００７】  本考案に係る縫製加工品は、
前記キルト芯の量によって前記模様を立体的にしている、ものである。
【考案の効果】
【０００８】  本考案に係る縫製加工品によれば、第１の布とキルト芯と第２の布を一体にすることで模様を立体的にして布地に貼り付けているので、模様に応じた立体感を実現でき、デザイン性が向上する。
【図面の簡単な説明】
【０００９】
【図１】本考案の実施の形態に係る縫製加工品に貼り付ける模様を描く布の一例を概略的に示す模式図である。
【図２】布に描く模様の一例を概略的に示す模式図である。
【図３】布に模様の一例を描いた状態を概略的に示す模式図である。
【図４】本考案の実施の形態に係る縫製加工品に貼り付けるモチーフの積層状態を概略的に示す模式図である。
【図５】モチーフの製作過程を説明するための概略図である。
【図６】作製したモチーフの表面の一例を示す模式図である。
【図７】作製したモチーフの裏面の一例を示す模式図である。
【図８】本考案の実施の形態に係る縫製加工品の一例を概略的に示す模式図である。
【考案を実施するための形態】
【００１０】  以下、図面を参照しつつ本考案の実施の形態について説明する。
図１は、本考案の実施の形態に係る縫製加工品（以下、縫製加工品１００と称する）に貼り付ける模様５２を描く布５１Ａの一例を概略的に示す模式図である。図２は、布５１Ａに描く模様５２の一例を概略的に示す模式図である。図３は、布５１Ａに模様５２の一例を描いた状態を概略的に示す模式図である。図４は、縫製加工品１００に貼り付けるモチーフ（以下、モチーフ５０と称する）の積層状態を概略的に示す模式図である。図５は、モチーフ５０の製作過程を説明するための概略図である。図６は、作製したモチーフ５０の表面の一例を示す模式図である。図７は、作製したモチーフ５０の裏面の一例を示す模式図である。図８は、縫製加工品１００の一例を概略的に示す模式図である。
【００１１】  図１に示すように、まず、布５１Ａを用意する。布５１Ａが、本発明の「第１の布」に相当する。布５１Ａは、例えば綿１００％の平織ブロードなどを利用するとよい。また、図１では、布５１Ａがグレーの場合を例に示している。なお、布５１Ａの種類や大きさ、色などは、縫製加工品１００に応じて決定されるものであり、特に限定するものではない。
【００１２】  次に、布５１Ａに描く模様５２の見本５２Ａを用意する。見本５２Ａは、図２に示すように、例えば動物の写真などでよい。図２では、動物の一例として「イヌ」を示しているが、他の動物を模様５２としてもよい。そのため、用意する見本５２Ａとしては、写真の他にイラストなどでもよい。
【００１３】  そして、用意した布５１Ａに見本５２Ａを見ながら模様５２を描いていく。模様５２を描く画材としては、例えばアクリル絵の具やファブリックメディウム（ウレタン塗料）などを使用すればよい。使用例としては、アクリル絵の具にファブリックメディウムを同量混ぜて模様５２を描くとよい。図３に、完成した模様５２を示している。また、模様５２の形状に応じて切り取った布５１Ａを布５１と称するものとする。
【００１４】  次に、キルト芯５４、布５３を用意する。布５３が、本発明の「第２の布」に相当する。キルト芯５４としては、例えば綿やポリエステルを用いればよい。キルト芯５４の大きさや量は、模様５２に応じて調整するものとする。例えば、シート状のキルト芯５４を使用する場合は、枚数で量を調整する。キルト芯５４は、片面もしくは両面熱溶解接着タイプのものを用いるとよい。このようなキルト芯５４を、図４に示すように、布５３と布５１で挟み込み、表面側から布５１、キルト芯５４、布５３の積層構造とする。このようにして、アイロンで接着して一体にする。
【００１５】  図５に示した状態で縫っていき、モチーフ５０を完成させていく。まず、顔部分や意匠的にミシン目を出したくない部分を手縫いで縫う。次に、ミシンでその他の模様５２になる部分を縫う。ミシン糸としては、例えば６０番：ポリエステル１００％を使用すればよい。なお、手縫いで使用する糸もミシン糸と同様とすればよい。そして、図６に示したように、模様５２となる絵のギリギリのラインまでキルト芯５４と裏側の布５３をカットする。上面の布５１を裏まで折り曲げ、ミシンで回りを縫製する。布５３の裏面に両面接着シート５５を貼る。このようにしてモチーフ５０を完成する。
【００１６】  完成したモチーフ５０を、表面の少なくとも一部が布地で構成されている縫製加工品１００に貼り付ける。図８では、縫製加工品１００がトートバッグである場合を例に示しているが、縫製加工品１００は表面の少なくとも一部が布地で構成されているものでればよい。モチーフ５０は、布５１とキルト芯５４と第２の布５３を一体にすることで模様５２を立体的にしたものになっているので、縫製加工品１００からモチーフ５０が飛び出すように見える。そのため、縫製加工品１００によれば、立体感及びデザイン性に優れたものになる。
なお、上記実施の形態では、あくまでもモチーフ５０及び縫製加工品１００の一例を示したものであり、本考案の技術的範囲は、これらの態様に限定されるものではない。
【符号の説明】
【００１７】５０      モチーフ
５１      布（第１の布）
５１Ａ    布（第１の布）
５２      模様
５２Ａ    見本
５３      布
５４      キルト
５５      両面接着シート
１００    縫製加工品
【図１】
0003233950.tif 000003
【図２】
0003233950.tif 000004
【図３】
0003233950.tif 000005
【図４】
0003233950.tif 000006
【図５】
0003233950.tif 000007
【図６】
0003233950.tif 000008
【図７】
0003233950.tif 000009
【図８】
0003233950.tif 000010